(57)【要約】【課題】取り付け及び取り外しにおける施工手順の制約を受けず、良好な施工性によって施工効率の向上を図ることができるパネルの取付構造を提供する。【解決手段】タイルパネル１０及び鋼板パネル２０には、その端縁から見込方向裏面側に突出するとともに被係止部１３２，２１２を有した突出片１３１，２１１が設けられており、固定部材８は、突出片１３１，２１１が当接可能な当接片３１と、当接片３１の一方側に対向して設けられてタイルパネル１０の被係止部１３２を係止する第一係止片４２と、当接片３１の他方側に対向して設けられて鋼板パネル２０の被係止部２１２を係止する第二係止片４３と、を有して構成されている。【選択図】図３
2015187369.tif 000002
【特許請求の範囲】
【請求項１】
所定の支持体に設けた固定部材に対し、隣り合う一対のパネルを取り付けるパネルの取付構造であって、
前記一対のパネルにおける隣り合う端縁には、それぞれ該端縁から見込方向裏面側に突出するとともに被係止部を有した突出片が設けられており、
前記固定部材は、
前記一対のパネルの境界部にて見込方向表面側に延びて設けられ、その一面側及び他面側にそれぞれ前記一対のパネルの前記突出片が当接可能な当接片と、
前記当接片の一面側に対向して設けられて前記一対のパネルのうち一方のパネルの被係止部を係止する第一係止片と、
前記当接片の他面側に対向して設けられて前記一対のパネルのうち他方のパネルの被係止部を係止する第二係止片と、を有して構成されていることを特徴とするパネルの取付構造。
【請求項２】
前記第一係止片と前記第二係止片とは、それぞれ見込方向表面側に延びつつ屈曲して形成されるとともに、互いに異なる屈曲形状を有して形成されていることを特徴とする請求項１に記載のパネルの取付構造。
【請求項３】
前記第一係止片が前記一方のパネルの被係止部を係止する第一係止部と、前記第二係止片が前記他方のパネルの被係止部を係止する第二係止部と、が互いに異なる見込方向位置に設けられていることを特徴とする請求項１又は２に記載のパネルの取付構造。
【請求項４】
前記一対のパネルの前記突出片の各々と前記当接片との間にそれぞれ第一止水材が設けられ、前記一対のパネルにおける隣り合う前記端縁間に第二止水材が設けられていることを特徴とする請求項１〜３のいずれか一項に記載のパネルの取付構造。
【請求項５】
前記固定部材は、支持体に固定されるとともに前記当接片が形成された第一部材と、該第一部材に取り付けられるとともに前記第一係止片及び前記第二係止片が形成された第二部材と、を有して構成されていることを特徴とする請求項１〜４のいずれか一項に記載のパネルの取付構造。
【請求項６】
前記第一部材は、支持体に固定される固定片と、該固定片から見込方向に延びる前記当接片と、を有して前記一対のパネルの境界部に沿って長尺状に形成され、
前記第二部材は、前記第一部材の長手方向に沿った複数個所における前記固定片に取り付けられていることを特徴とする請求項５に記載のパネルの取付構造。
【発明の詳細な説明】
【技術分野】
【０００１】
本発明は、所定の支持体に設けた固定部材に対し、隣り合う一対のパネルを取り付けるパネルの取付構造に関する。
【背景技術】
【０００２】
従来、ユニットバス等において、浴室の壁面を構成する壁パネルが用いられ、隣り合う異種の壁パネルを取り付けるための取付構造が提案されている（例えば、特許文献１参照）。特許文献１に記載されたパネルの取付構造は、鋼板パネルとタイルパネルとを隣り合わせて取り付けるための構造であって、タイルパネル裏側の左右両端縁に補強フレームが固定され、この補強フレームにバックアップ材と連結フレームが固定されている。一方、鋼板パネルには、左右両端縁から裏側に延びる端縁片と、この端縁片の先端側を折り返した係合片と、が形成されている。壁パネルの取付手順としては、先ず、タイルパネルを浴室ユニットのフレームに固定してから、このタイルパネルの連結フレームとバックアップ材との間に鋼板パネルの係合片を挿入し、係合片を連結フレームに係合させるようになっている。
【先行技術文献】
【特許文献】
【０００３】
【特許文献１】特許第５３１７４５７号公報
【発明の概要】
【発明が解決しようとする課題】
【０００４】
しかしながら、特許文献１に記載されたような従来のパネルの取付構造では、一方のパネルであるタイルパネルを先に固定してから、その連結フレームに係合片を係合させて他方のパネルである鋼板パネルを取り付けるようになっているため、施工手順が制約を受けることから、施工の効率化を十分に図ることが難しかった。さらに、従来の構造では、一方のパネルを取り外す必要が生じた場合には、先ず、他方のパネルを取り外してからでないと一方のパネルが取り外せず、取り外すための作業が大掛かりになってしまうという問題もあった。
【０００５】
本発明の目的は、取り付け及び取り外しにおける施工手順の制約を受けず、良好な施工性によって施工効率の向上を図ることができるパネルの取付構造を提供することにある。
【課題を解決するための手段】
【０００６】
本発明のパネルの取付構造は、所定の支持体に設けた固定部材に対し、隣り合う一対のパネルを取り付けるパネルの取付構造であって、前記一対のパネルにおける隣り合う端縁には、それぞれ該端縁から見込方向裏面側に突出するとともに被係止部を有した突出片が設けられており、前記固定部材は、前記一対のパネルの境界部にて見込方向表面側に延びて設けられ、その一面側及び他面側にそれぞれ前記一対のパネルの前記突出片が当接可能な当接片と、前記当接片の一面側に対向して設けられて前記一対のパネルのうち一方のパネルの被係止部を係止する第一係止片と、前記当接片の他面側に対向して設けられて前記一対のパネルのうち他方のパネルの被係止部を係止する第二係止片と、を有して構成されていることを特徴とする。
【０００７】
以上のような本発明によれば、当接片、第一係止片及び第二係止片を有して固定部材が構成され、当接片と第一係止片との間に一方のパネルの被係止部を係止させるとともに、当接片と第二係止片との間に他方のパネルの被係止部を係止させることで、一方及び他方のパネルをそれぞれ取り付けることができる。この構造により、一方及び他方のパネルを取り付ける際には、先ず、固定部材を支持体に固定しておいてから、一方のパネルを他方のパネルよりも先に取り付けてもよいし、逆に、他方のパネルを一方のパネルよりも先に取り付けてもよく、施工手順の制約を受けることがない。また、一方又は他方のパネルを取り外す際には、取り外したい方のパネルの被係止部を固定部材から外せばよく、隣り合うパネルを取り外す必要がない。従って、隣り合うパネルの取り付け及び取り外しにおける施工手順の制約を受けないことから、現場の状況に応じた手順を選択することができ、施工性を良好にすることができる。
【０００８】
この際、本発明のパネルの取付構造では、前記第一係止片と前記第二係止片とは、それぞれ見込方向表面側に延びつつ屈曲して形成されるとともに、互いに異なる屈曲形状を有して形成されていることが好ましい。
【０００９】
このような構成によれば、第一係止片と第二係止片の屈曲形状が互いに異なっていることで、一方及び他方のパネルの突出片や被係止部の形状が異なるような異種のパネルを隣り合わせて取り付けることができる。従って、パネル側において、突出片や被係止部の形状を固定部材に合わせて改変する必要がなく、固定部材の側において、第一係止片や第二係止片の形状を対応させるだけで済み、パネルの製造コストを抑制しつつ種々のパネルに対する汎用性を向上させることができる。
【００１０】
さらに、本発明のパネルの取付構造では、前記第一係止片が前記一方のパネルの被係止部を係止する第一係止部と、前記第二係止片が前記他方のパネルの被係止部を係止する第二係止部と、が互いに異なる見込方向位置に設けられていることが好ましい。
【００１１】
このような構成によれば、第一係止片の第一係止部と第二係止片の第二係止部の見込方向位置が互いに異なっていることで、一方及び他方のパネルの見込み寸法（厚さ寸法）が異なったり、突出片や被係止部の長さ寸法が異なったりするような異種のパネルを隣り合わせて取り付けることができる。従って、この構成によっても、パネルの製造コストを抑制しつつ種々のパネルに対する汎用性を向上させることができる。
【００１２】
また、本発明のパネルの取付構造では、前記一対のパネルの前記突出片の各々と前記当接片との間にそれぞれ第一止水材が設けられ、前記一対のパネルにおける隣り合う前記端縁間に第二止水材が設けられていることが好ましい。
【００１３】
このような構成によれば、第一止水材によって一方及び他方のパネルの各突出片と固定部材の当接片との間を止水し、第二止水材によって一方及び他方のパネルの端縁間を止水することで、二重の止水構造を構成することができ、一対のパネルの境界部における止水性能を向上させることができる。
【００１４】
また、本発明のパネルの取付構造では、前記固定部材は、支持体に固定されるとともに前記当接片が形成された第一部材と、該第一部材に取り付けられるとともに前記第一係止片及び前記第二係止片が形成された第二部材と、を有して構成されていることが好ましい。
【００１５】
このような構成によれば、当接片が形成された第一部材と、第一係止片及び第二係止片が形成された第二部材と、で固定部材が構成されるので、第一部材と第二部材との組み合わせを変更することによって、パネル種別や取付位置、左右違いなどの取付条件に柔軟に対応することができ、部品点数も削減することができる。即ち、突出片や被係止部の形状等が異なる異種のパネル対しては、それぞれのパネルに応じた第二部材を準備しておき、共通の第一部材と組み合わせることで異種パネルに対応可能となり、第一部材の部品点数が削減できる。また、取付位置として、平面部とコーナー部（出隅、入隅）とで、当接片の延出方向や延出長さが異なる場合には、それぞれに応じた第一部材を準備しておけばよい。さらに、左右違いの場合においても、第一部材に対する第二部材の固定方向を反転させるなどで容易に対応することができる。
【００１６】
さらに、本発明のパネルの取付構造では、前記第一部材は、支持体に固定される固定片と、該固定片から見込方向に延びる前記当接片と、を有して前記一対のパネルの境界部に沿って長尺状に形成され、前記第二部材は、前記第一部材の長手方向に沿った複数個所における前記固定片に取り付けられていることが好ましい。
【００１７】
このような構成によれば、固定片と当接片とを有した長尺状の第一部材と、複数の第二部材と、で固定部材を構成することで、固定部材を製造するための使用材料を削減することができる。さらに、第一部材が一対のパネルの境界部に沿って延びる長尺状に形成され、その当接片に各パネルの突出片を当接させることで、パネルの面内方向（一対のパネルが互いに離間接近する方向）への移動を規制し、パネル間の目地幅を一定に保つことができる。さらに、第二部材が複数のピース部材で構成されることで、前述のように異種のパネルに応じて第一係止片及び第二係止片の形状等が異なる第二部材を準備する場合でも、そのような複数種類の第二部材を保管したり運搬したりする手間を抑制することができる。
【発明の効果】
【００１８】
以上のような本発明のパネルの取付構造によれば、固定部材に対して一方及び他方のパネルがそれぞれ独立して取り付けられるので、一方及び他方のパネルの取り付け及び取り外しの際の施工手順が制約を受けず、良好な施工性を有して取り付け作業及び取り外し作業を実施することができ、施工効率を向上させることができる。
【図面の簡単な説明】
【００１９】
【図１】本発明の実施形態に係るパネルの取付構造を用いた浴室ユニットの一部を示す斜視図である。
【図２】前記パネルの取付構造を示す斜視図である。
【図３】前記パネルの取付構造を示す横断面図である。
【図４】前記パネルの取付構造に用いる固定部材を示す分解断面図である。
【図５】前記パネルの取付構造の取付手順を示す断面図である。
【図６】本発明の変形例に係るパネルの取付構造を示す横断面図である。
【発明を実施するための形態】
【００２０】
以下、本発明の実施形態を図面に基づいて説明する。本実施形態のパネルの取付構造は、図１、２に示すように、浴室ユニット１の浴室内壁面を構成する壁パネル２を支持体（床立上部５及び天井つなぎ梁７）に取り付けるためのものである。浴室ユニット１は、図示しない床躯体上に束等を介して支持された浴槽３及び洗い場床（防水パン）４と、洗い場床４の端縁から立ち上がって設けられた床立上部５と、床立上部５から立設された複数のポスト６と、複数のポスト６の頂部を連結して設けられた天井つなぎ梁７と、天井つなぎ梁７に支持される図示しない天井パネルと、図示しない浴室出入口や窓等を備えて構成されている。
【００２１】
なお、以下では、壁パネル２の面直交方向を見込方向と記し、この見込方向と直交する面内方向を見付方向と記す場合があり、特に、後述する縦フレーム１３や平ポスト３０等の長尺部材においては、材軸方向（長手方向）及び見込方向に直交する方向を見付方向として記すことがある。
【００２２】
壁パネル２は、洗い場における一方の壁面に設けられるタイルパネル１０と、タイルパネル１０以外の部分の内壁面を構成する複数の鋼板パネル２０と、で構成されている。洗い場における一方の壁面には、図示しないカウンターや棚、照明器具、水栓金具、カラン、シャワー等が設けられる。この壁面において、タイルパネル１０が略中央に設けられ、このタイルパネル１０を挟んで左右両側に鋼板パネル２０が設けられている。即ち、タイルパネル１０と鋼板パネル２０とによって、互いに隣り合う一対のパネルが構成されている。
【００２３】
タイルパネル１０は、図３にも示すように、浴室内部側に設けられる複数のタイル１１及び鏡１２と、パネルの左右端縁に設けられる縦フレーム１３と、パネルの上下端縁に設けられる横フレーム（不図示）と、複数のタイル１１及び鏡１２に対向して縦フレーム１３及び横フレームに固定される裏板１４と、複数のタイル１１及び鏡１２と裏板１４との間に注入成形されるウレタンフォーム等からなる芯材１５と、タイル１１及び鏡１２と縦フレーム１３及び横フレームとの間に設けられるガスケット１６と、を有して構成されている。このタイルパネル１０は、例えば、幅寸法が４００ｍｍ、厚さ寸法が２２ｍｍに設定されている。
【００２４】
複数のタイル１１は、例えば、並べて配置した１００ｍｍ角のタイル間に目地材を充填して形成されている。鏡１２は、タイル１１よりも１ｍｍ程度薄い板状の鏡板であり、タイル１１と並べた間に目地材を充填し、その周辺にガスケット１６を配置してから、目地材及びガスケット１６を加熱硬化させることで、複数のタイル１１、鏡１２及びガスケット１６が一体化されている。このように一体化した複数のタイル１１、鏡１２及びガスケット１６と、縦フレーム１３及び横フレームと、裏板１４とを重ね、複数のタイル１１及び鏡１２と裏板１４との間にウレタンフォーム等を注入成形することで芯材１５が形成され、これによりタイルパネル１０が製作される。
【００２５】
鋼板パネル２０は、浴室内部側に適宜な化粧面を有する鋼板２１と、この鋼板２１の裏面に貼付される石膏ボードや発泡ウレタン等の断熱材２２と、を有し、取付部位に応じた適宜な幅寸法及び高さ寸法に形成されている。タイルパネル１０に隣り合う２枚の鋼板パネル２０は、洗い場における一方の壁面の幅寸法に応じ、例えば、幅寸法が２００ｍｍ〜４００ｍｍに設定されている。また、鋼板パネル２０の厚さ寸法は、例えば、８ｍｍ〜１０ｍｍ程度であり、タイルパネル１０の半分以下の厚さ寸法となっている。即ち、タイルパネル１０と鋼板パネル２０とでは、互いの厚さ寸法が異なり、これにより後述する互いの被係止部１３２，２１２の見込方向位置が相違するものとなっている。
【００２６】
タイルパネル１０の縦フレーム１３は、溶融亜鉛めっき鋼板などから曲げ加工によって形成されており、この縦フレーム１３には、その側端縁から見込方向裏面側（浴室外部側）に突出する突出片１３１が形成されている。この突出片１３１の先端には、見付方向内側かつ浴室内部側に折り返された被係止部１３２が形成されている。一方、鋼板パネル２０の鋼板２１には、その側端縁から見込方向裏面側に突出する突出片２１１が形成され、この突出片２１１の先端には、鋼板パネル２０の見付方向内側かつ浴室内部側に折り返された被係止部２１２が形成されている。
【００２７】
以上の壁パネル２のうち、タイルパネル１０に隣り合う２枚の鋼板パネル２０以外の鋼板パネル２０は、その左右両端縁の被係止部２１２がポスト６に係止されることで取り付けられている。また、タイルパネル１０に隣り合う２枚の鋼板パネル２０においても、タイルパネル１０と反対側の側端縁に形成された被係止部２１２はポスト６に係止されている。なお、ポスト６の構造、及びポスト６に鋼板パネル２０の被係止部２１２を係止する係止構造は、従来からの鋼板パネルの取付構造と差異がないため、その説明を省略する。
【００２８】
タイルパネル１０と、このタイルパネル１０に隣り合う２枚の鋼板パネル２０におけるタイルパネル１０の側の側端縁とは、本発明のパネルの取付構造によって、支持体としての床立上部５及び天井つなぎ梁７に対し、固定部材８を介して取り付けられている。また、タイルパネル１０と鋼板パネル２０との境界部分における隙間には、第二止水材としてのシリコンシーリング材９が充填されている。
【００２９】
固定部材８は、図４にも示すように、床立上部５と天井つなぎ梁７とに亘って上下に延びる長尺状に形成された第一部材としての平ポスト３０と、平ポスト３０に沿った複数個所に取り付けられる第二部材としての連結金具４０と、を有して構成されている。平ポスト３０は、タイルパネル１０と鋼板パネル２０との境界部に沿って設けられ、床立上部５及び天井つなぎ梁７のそれぞれにビス止め等によって固定されている。また、複数の連結金具４０は、平ポスト３０に沿った適宜な間隔（例えば、６００ｍｍ程度以内）で設けられ、平ポスト３０に対して固着具であるタッピングビス８１によって固定されている。
【００３０】
平ポスト３０は、溶融亜鉛めっき鋼板などから曲げ加工及び切断加工によって製作され、見込方向に延びる当接片３１と、見付方向に延びる固定片３２と、を有して断面Ｌ字形に形成されている。固定片３２は、その上下端部で幅広に形成されて床立上部５及び天井つなぎ梁７に固定されており、この固定片３２に連結金具４０がタッピングビス８１によって固定されている。当接片３１の見付方向一方面及び他方面には、それぞれタイルパネル１０の突出片１３１及び鋼板パネル２０の突出片２１１に当接する第一止水材としてのシール材３３，３４が設けられている。各シール材３３，３４は、後述する連結金具４０の第一係止部４２４及び第二係止部４３５に対向する位置に設けられている。
【００３１】
連結金具４０は、ステンレス鋼板などから曲げ加工及び切断加工によって製作され、見付方向に延びて平ポスト３０の固定片３２に固定される被固定片４１と、被固定片４１に連続するとともに当接片３１の一方側（タイルパネル１０側）に対向して設けられる第一係止片４２と、被固定片４１に連続するとともに当接片３１の他方側（鋼板パネル２０側）に対向して設けられる第二係止片４３と、を有して見込方向の浴室内部側に開口した断面略Ｃ字形に形成されている。この連結金具４０は、平ポスト３０の長手方向に沿った高さ寸法が３０ｍｍ程度に設定されたピース部材であり、第一係止片４２と第二係止片４３とが互いに離間接近する方向に弾性変形可能に構成されている。
【００３２】
第一係止片４２は、被固定片４１から見込方向奥側（裏面側）に段差をなす段差部４２１と、段差部４２１から見付方向外方に延びるとともに見込方向浴室側に曲がる第一屈曲部４２２と、第一屈曲部４２２から見付方向内方かつ見込方向浴室内部側に延びるとともに見付方向外方に曲がる第二屈曲部４２３と、を有して断面略Ｓ字状に形成されている。第一屈曲部４２２は、当接片３１との間にタイルパネル１０の被係止部１３２を受け入れる受け入れ空間を構成するものである。また、第二屈曲部４２３において、当接片３１に近づく頂部付近によって、被係止部１３２を係止する第一係止部４２４が構成されている。さらに、第一屈曲部４２２は、被係止部１３２先端に当接することで、見込方向奥側に向かうタイルパネル１０の移動を規制可能に構成されている。
【００３３】
第二係止片４３は、被固定片４１から見込方向浴室側に延びる延出片部４３１と、この延出片部４３１に連続して見付方向内方かつ見込方向浴室内部側に延びる傾斜片部４３２と、この傾斜片部４３２から見込方向浴室内部側かつ見付方向外方に曲がる屈曲部４３３と、屈曲部４３３に連続して見付方向外方に延びる規制片部４３４と、を有して形成されている。延出片部４３１及び傾斜片部４３２は、当接片３１との間に鋼板パネル２０の被係止部２１２及びタッピングビス８１の先端部を受け入れる受け入れ空間を構成するものである。また、傾斜片部４３２及び屈曲部４３３の頂部付近によって、被係止部２１２を係止する第二係止部４３５が構成されている。さらに、規制片部４３４は、鋼板２１の裏面に当接することで、見込方向奥側に向かう鋼板パネル２０の移動を規制可能に構成されている。
【００３４】
次に、浴室ユニット１におけるタイルパネル１０及び鋼板パネル２０の取付手順について説明する。先ず、平ポスト３０の当接片３１の一方面及び他方面にシール材３３，３４を貼り付けるとともに、平ポスト３０の適宜な位置に複数の連結金具４０をタッピングビス８１により固定する。次に、平ポスト３０の上下端部を床立上部５及び天井つなぎ梁７にビス止め固定し、床立上部５と天井つなぎ梁７とに亘って固定部材８を取り付けておく。
【００３５】
次に、図５（Ａ）に示すように、タイルパネル１０の突出片１３１を平ポスト３０の当接片３１の一方側に沿わせ、タイルパネル１０を浴室内部側から外部側に向かって押し込み、被係止部１３２で第一係止片４２を見付方向外方に弾性変形させつつ、第一係止部４２４の奥側に被係止部１３２を圧入し、当接片３１と第一係止片４２との間に突出片１３１及び被係止部１３２を嵌合させる。これにより第一係止片４２に被係止部１３２が係止されてタイルパネル１０が固定される。この際、当接片３１と突出片１３１との間にシール材３３が挟まれ、固定部材８とタイルパネル１０との間の止水構造が構成される。
【００３６】
次に、図５（Ｂ）に示すように、鋼板パネル２０の突出片２１１を当接片３１の他方側に沿わせ、鋼板パネル２０を浴室内部側から外部側に向かって押し込み、被係止部２１２で第二係止片４３を見付方向外方に弾性変形させつつ、第二係止部４３５の奥側に被係止部２１２を圧入し、当接片３１と第二係止片４３との間に突出片２１１及び被係止部２１２を嵌合させる。これにより第二係止片４３に被係止部２１２が係止されて鋼板パネル２０が固定される。この際、当接片３１と突出片２１１との間にシール材３４が挟まれ、固定部材８と鋼板パネル２０との間の止水構造が構成される。その後、タイルパネル１０と鋼板パネル２０との境界部において、タイル１１及び鏡１２の端縁と鋼板２１の端縁との間にシリコンシーリング材９を充填して、パネルの取付作業が完了する。
【００３７】
以上のような本実施形態によれば、以下のような効果がある。即ち、固定部材８の当接片３１と第一係止片４２との間にタイルパネル１０の被係止部１３２を係止させるとともに、当接片３１と第二係止片４３との間に鋼板パネル２０の被係止部２１２を係止させることで、各パネルをそれぞれ取り付けることができる。この構造により、タイルパネル１０を鋼板パネル２０よりも先に取り付けてもよいし、逆に、鋼板パネル２０をタイルパネル１０よりも先に取り付けてもよく、施工手順の制約を受けることがない。また、タイルパネル１０及び鋼板パネル２０のいずれかのパネルを取り外す際には、隣り合うパネルを取り外す必要がない。従って、隣り合うタイルパネル１０及び鋼板パネル２０の取り付け及び取り外しにおける施工手順の制約を受けないことから、現場の状況に応じた手順を選択することができ、施工性を良好にすることができる。
【００３８】
また、タイルパネル１０及び鋼板パネル２０の突出片１３１，２１１や被係止部１３２，２１２の形状に応じて、適宜な形状の当接片３１、第一係止片４２及び第二係止片４３を有した固定部材８を準備するだけで、各種のパネルに容易に対応することができ、パネル形状を変更する必要がないことから、パネルの製造コストを抑制しつつ汎用性を向上させることができる。さらに、固定部材８が平ポスト３０と複数の連結金具４０とで構成されているので、各種形状の連結金具４０を準備しておき、共通の平ポスト３０と組み合わせることで、部品点数を削減しつつ汎用性をさらに向上させることができる。また、ピース部材で構成された連結金具４０を平ポスト３０に固定することで固定部材８が構成できるので、パネル形状等に応じた専用の固定部材を複数種類準備する必要がなく、使用材料が削減できるとともに、部品管理の煩雑さを解消しかつ保管場所の省スペース化を図ることができる。
【００３９】
また、当接片３１に設けられた第一止水材としてのシール材３３，３４がタイルパネル１０及び鋼板パネル２０の突出片１３１，２１１に当接するとともに、タイルパネル１０の端縁と鋼板パネル２０の端縁との間にシリコンシーリング材９が充填されているので、二重の止水構造を構成することができ、タイルパネル１０と鋼板パネル２０との境界部における止水性能を向上させることができる。また、シール材３３，３４が当接片３１と突出片１３１，２１１との間に介挿されることで、それらの金属同士のがたつきや音鳴りを抑制することができ、タイルパネル１０及び鋼板パネル２０の取付状態を良好に維持することができる。
【００４０】
なお、本発明は、前記実施形態に限定されるものではなく、本発明の目的が達成できる他の構成等を含み、以下に示すような変形等も本発明に含まれる。例えば、前記実施形態では、固定部材８が平ポスト３０と複数の連結金具４０とをタッピングビス８１で固定して構成されていたが、これに限らず、固定部材としては、単一の部材から構成されたものであってもよい。さらに、前記実施形態では、第二部材である連結金具４０が第一係止片４２と第二係止片４３とを有する一体の金物で構成されていたが、これに限らず、第一係止片と第二係止片とが別部材からなり、これらの部材を組み合わせて第二部材が構成されていてもよい。
【００４１】
図６（Ａ）には、固定部材の変形例として、単一の部材から構成された固定部材８Ａが示されている。固定部材８Ａは、タイルパネル１０と鋼板パネル２０との境界部にて見込方向表面側に延びて設けられる当接片５１と、この当接片５１の一方側に対向して設けられる第一係止片５２と、当接片５１の他方側に対向して設けられる第二係止片５３と、を有して形成されている。当接片５１の一方面及び他方面には、それぞれ第一止水材としてのシール材５４，５５が設けられている。
【００４２】
当接片５１は、その一方面にシール材５４を介してタイルパネル１０の突出片１３１が当接可能に設けられ、他方面にシール材５５を介して鋼板パネル２０の突出片２１１が当接可能に設けられている。第一係止片５２は、前記第一係止片４２と略同様の形態を有し、タイルパネル１０の被係止部１３２を係止可能に設けられ、第二係止片５３は、前記第二係止片４３と略同様の形態を有し、鋼板パネル２０の被係止部２１２を係止可能に設けられている。
【００４３】
また、前記実施形態では、互いに隣り合って設けられる一対のパネルとして、タイルパネル１０及び鋼板パネル２０を例示したが、隣り合う一対のパネルの組み合わせとしては、前記実施形態に限られるものではない。即ち、パネルとしては、タイルパネル及び鋼板パネルの他にも、樹脂パネルや、木質パネル、ガラスパネル、異種材料が積層された複合パネル等、任意のものが選択可能であり、隣り合う一対のパネルとしては、適宜に選択した異種のパネルであってもよいし、同種のパネルであってもよいし、さらには、同種のパネルであっても互いに厚さ寸法が異なるパネルであってもよい。
【００４４】
図６（Ｂ），（Ｃ）には、隣り合う一対のパネルとして同種のパネルを選択した場合の変形例として、これらのパネルを取り付けるための固定部材８Ｂ，８Ｃが示されている。即ち、図６（Ｂ）に示す固定部材８Ｂは、隣り合う一対のパネルとしての一対の鋼板パネル２０を固定する場合の一例であり、図６（Ｃ）に示す固定部材８Ｃは、隣り合う一対のパネルとしての一対のタイルパネル１０を固定する場合の一例である。
【００４５】
固定部材８Ｂは、前記実施形態と略同様の平ポスト３０と、この平ポスト３０にタッピングビス８１で固定される連結金具４０Ａと、を有して構成されている。連結金具４０Ａは、平ポスト３０の固定片３２に固定される被固定片４５と、平ポスト３０の当接片３１の一方側に対向して設けられる第一係止片４６と、当接片３１の他方側に対向して設けられる第二係止片４７と、を有して形成されている。第二係止片４７は、前記第二係止片４３と略同様の形態を有し、第一係止片４６は、第二係止片４７と面対称の形態を有して形成されている。従って、第一係止片４６及び第二係止片４７は、それぞれ一方及び他方の鋼板パネル２０における被係止部２１２を係止可能に設けられている。
【００４６】
一方、固定部材８Ｃは、隣り合う一対のタイルパネル１０の境界部にて見込方向表面側に延びて設けられる当接片６１と、この当接片６１の一方側に対向して設けられる第一係止片６２と、当接片６１の他方側に対向して設けられる第二係止片６３と、を有して一体に形成されている。当接片６１の一方面及び他方面には、それぞれ第一止水材としてのシール材６４，６５が設けられている。
【００４７】
当接片６１は、その一方面にシール材６４を介して一方のタイルパネル１０の突出片１３１が当接可能に設けられ、他方面にシール材６５を介して他方のタイルパネル１０の突出片１３１が当接可能に設けられている。第一係止片６２は、前記第一係止片４２と略同様の形態を有し、一方のタイルパネル１０の被係止部１３２を係止可能に設けられ、第二係止片６３は、第一係止片６２と面対称の形態を有して形成され、他方のタイルパネル１０の被係止部１３２を係止可能に設けられている。
【００４８】
また、前記実施形態において、パネルの取付構造としては、浴室ユニット１の壁パネル２を取り付けるための構造を例示したが、本発明のパネルの取付構造は、浴室ユニットの壁パネルに限らず、任意のパネルを支持体に取り付ける構造として利用可能である。即ち、部屋の内壁面を構成するパネルや、天井面を構成するパネル、間仕切り壁の壁面を構成するパネルなど、建物の内装パネルの取付構造であってもよいし、建物の外壁や屋外構造物の壁面、屋外構造物の屋根面や天井面を構成する外装パネルの取付構造であってもよい。また、壁パネルや天井パネル、内外装パネル等の建物の各部を構成するパネルに限らず、建物に付随する各種機器類や装飾類に用いられるパネルの取付構造としても利用可能である。また、隣り合う一対のパネルは、互いに同一面内に設けられるものに限らず、所定角度で交差して設けられていてもよい。
【００４９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５０】
２        壁パネル
５        床立上部（支持体）
７        天井つなぎ梁（支持体）
８，８Ａ，８Ｂ，８Ｃ  固定部材
９        シリコンシーリング材（第二止水材）
１０      タイルパネル
２０      鋼板パネル
３０      平ポスト（第一部材）
３１      当接片
３２      固定片
３３，３４  シール材（第一止水材）
４０，４０Ａ  連結金具（第二部材）
４２，４６  第一係止片
４３，４７  第二係止片
５１，６１  当接片
５２，６２  第一係止片
５３，６３  第二係止片
５４，５５，６４，６５  シール材（第一止水材）
１３１    突出片
１３２    被係止部
２１１    突出片
２１２    被係止部
４２４    第一係止部
４３５    第二係止部
【図１】
2015187369.tif 000003
【図２】
2015187369.tif 000004
【図３】
2015187369.tif 000005
【図４】
2015187369.tif 000006
【図５】
2015187369.tif 000007
【図６】
2015187369.tif 000008